(57)【要約】【課題】接点部分への異物の侵入、異物の接触を防いでコンタクト相互の短絡を防ぎ、かつ接点部分が周囲に影響されず独立して動くようにする。【解決手段】１種類のコンタクト１００  を複数枚、その裏表を交互に入れ換えて配列、積層しこれをハウジング３００  に保持固定した構造のコネクタ４００  である。そのコンタクト１００  は中央部に積層配列位置決め用の上方に開口する凹部１３０  を備えこの凹部の一方の端につながり上方に開口する略Ｕ字状のばね部１１３  の開口先端に内側に突出する接点１１１ａ，１１１ｂ  を設け且つこのばね部の下辺部分に接続端子部１１０  を設けた接触接続部１１０  を備え中央凹部の他方の端につながり隣接するコンタクトのばね部と平行して略Ｕ字状を成しその開口端の高さを前述のばね部より高めとしてこのばね部及び接点を保護する一方、接点への接続相手方をガイドするガイド・保護部１２０  を備え互いに凹部を一致させて積層する構成構造とする。【選択図】        図１
2004296197.tif 000002
【特許請求の範囲】
【請求項１】
１種類のコンタクトを複数枚、その裏表を交互に入れ換えて配列、積層し、ハウジングに保持固定した構造のコネクタであって、
前記コンタクトは、
中央部分に、積層配列位置決め用の、上方に開口する凹部が形成され、
前記凹部の一方の端につながり、上方に開口する略Ｕ字状を成すばね部と、このばね部の略Ｕ字状の開口端部分に、内側に突出する接点と、前記ばね部の略Ｕ字状の下方部分に設けられた接続端子部と、を含む接触接続部が形成され、前記凹部の他方の端につながり、隣接するコンタクトの、前記ばね部と平行して略Ｕ字状を成し、かつこの略Ｕ字状の開口端の高さを前記ばね部より高めとして、前記ばね部及び接点を保護する一方、前記接点への接続相手方をガイドする、ガイド・保護部が形成され、
前記接触接続部以外の全表面には絶縁コーティングが施された、構造であり、
前記ハウジングは、
その位置決めインシュレータが、裏表が交互に入れ換えられて積層される複数枚の前記コンタクトの凹部に挿入されて、これら複数枚のコンタクトを位置決めし、
これら複数枚のコンタクトを保持固定する構造である、
ことを特徴とするコネクタ。
【請求項２】
請求項１に記載のコネクタに加えて、積層される複数枚のコンタクトの間を、その凹部形成部分、接触接続部の下部、及びガイド・保護部の下部、の側面で接着する、接着用部材を設けた、コネクタ。
【請求項３】
前記接着用部材が、中央部分に、前記コンタクトの凹部と同一形状の凹部が形成され、この凹部の両端から、前記コンタクトの接触接続部及びガイド・保護部の下部へと延びる形状の、両面接着テープ状の接着用シートである、請求項２記載のコネクタ。
【請求項４】
請求項１乃至請求項３の何れか１項に記載のコネクタが、レセプタクルコネクタを成し、このレセプタクルコネクタと嵌合するプラグコネクタとで一対のコネクタを構成し、
前記プラグコネクタが、
プラグインシュレータと、
このプラグインシュレータの表面に、銅箔を貼付けてその表面を鍍金した、複数のプラグコンタクトと、
を含んで成り、嵌合時に、これら複数のプラグコンタクトが、前記レセプタクルコネクタの複数枚のコンタクトの接点と、対応、加圧接触接続する構造である、コネクタ。
【発明の詳細な説明】
【０００１】
【発明の属する技術分野】
本発明はコネクタに関し、特に狭ピッチ化に対応できるように複数のコンタクトを積層した構造のコネクタに属する。
【０００２】
【従来の技術】
狭ピッチ化をはかるために、複数のコンタクトを、互いに電気的に絶縁しつつ積層する構造のコネクタが提供されるようになってきた。
このようなコネクタの、従来の第１の例を図５（ａ）〜（ｄ）に示す。
このコネクタは、プリント配線板７００を挿入してその表面のパッド状電極７２２ｘ〜７２２ｚと加圧、接触接続する構造のコネクタであって、３種類のコンタクト１００ｘ，１００ｙ，１００ｚを積層して１組としたもの複数組と、これらコンタクトを保持、固定するハウジング３００ｘと、を備えて成り、その詳細は次のとおりである。
【０００３】
まず、積層された１組３種類のコンタクト１００ｘ，１００ｙ，１００ｚは、プリント配線板７００のパッド状電極７２２ｘ，７２２ｙ，７２２ｚと対応接続するそれぞれの接点１１１ｘ，１１１ｙ，１１１ｚ、及び親回路側と接続する接続端子部１１２ｘ，１１２ｙ，１１２ｚの部分を除いて、絶縁コーティング１４０ｘ，１４０ｙ，１４０ｚが施されていて、この絶縁コーティングにより、積層時に互いに絶縁されるようになっており、接点１１１ｘ〜１１１ｚは、その相互の距離を大きくするために、ハウジング３００ｘの内側底面からの高さ寸法を変え、また、同様に、接続端子部１１２ｘ〜１１２ｚの相互間隔を広げるために、その配置位置を変えるようにして全体が乙字状を成し、その各部の長さが異なる形状となっている。
【０００４】
これらコンタクト１００ｘ〜１００ｚの組は、プリント配線板７００の表裏両面に形成されたパッド状電極７２２ｘ〜７２２ｚと対応接続するように、表側のパッド状電極接続用の組と、裏側のパッド状電極接続用の組と、が、その接点が互いに向かい合うように配置されてその接続端子部側でハウジング３００ｘに保持固定されている。
【０００５】
このコネクタでは、コンタクト１００ｘ〜１００ｚが、その絶縁コーティング１４０ｘ〜１４０ｚの面を密着させて積層されているので、狭ピッチ化が可能となる（例えば、特許文献１参照）。
【０００６】
【特許文献１】
特開平５−２１１１８号公報（図１〜図５）
【０００７】
次に、コンタクト積層構造を有する従来のコネクタの第２の例を、図６（ａ），（ｂ）を参照しながら説明する。
この第２の例のコネクタはコンタクト１００ｗが１種類であり、このコンタクト１００ｗは、中心部材である座片１１４ｗと、ばね部１１３ｗと、がｙ字状を成し、ばね部１１３ｗの先端部分に、このｙ字状に対し外側に突出してその頂点に接点１１１ｗが設けられ、座片１１４ｗから垂直に接続端子部１１２ｗが延び出した形状を有して、そのｙ字状の片面に絶縁コーティング１４０ｗが施された構造となっている。
【０００８】
そしてこの第２の例のコネクタは、このような構造の複数のコンタクト１００ｗを、その絶縁コーティング１４０ｗ側の面と、その反対側の面とを密着させて積層し、接続端子部１１２ｗの座片１１４ｗ側の部分を、インシュレータ３５０ｗに保持固定する構造となっている（例えば、特許文献２参照）。
【０００９】
【特許文献２】
特許第２８１６０４０号公報（図１，図４）
【００１０】
【発明が解決しようとする課題】
上述した従来のコネクタは、第１の例では、３種類１組とするコンタクト１００ｘ，１００ｙ，１００ｚが、それぞれその全体形状が乙字状を成し、かつその各部の長さが互いに異なり、その接点１１１ｘ，１１１ｙ，１１１ｚ及び接続端子部１１２ｘ，１１２ｙ，１１２ｚ以外の部分には絶縁コーティング１４０ｘ，１４０ｙ，１４０ｚが施されて互いに積層され、これら３種類１組のコンタクト１００ｘ〜１００ｚが複数組、プリント配線板７００の表裏両面のパッド状電極７２２ｘ〜７２２ｚと対応接続するように、その接点１１１ｘ，１１１ｙ，１１１ｚを互いに向かい合せるように配置されて、その接続端子部側でハウジング３００ｘに保持固定された構造となっているので、コンタクトの積層構造により狭ピッチ化が実現できるものの、プリント配線板７００の、表側のパッド状電極と接触接続する接点１１１ｘ〜１１１ｚと、裏側のパッド状電極と接触接続する接点１１１ｘ〜１１１ｚと、の間に広い空間が存在し、この空間への異物の侵入が容易であるため、侵入した異物により接点相互間が短絡する危険性が高い、という問題があり、また、３種類で１組を成すコンタクト１００ｘ〜１００ｚは互いに密着していて接点位置も異なるため、プリント配線板７００の挿抜時に、これらコンタクトの動きが異なり、相互間で摩擦が生じて絶縁コーティング１４０ｘ〜１４０ｚが摩耗し、相互間で短絡する危険性や、相互摩擦による動きの制約が生じ、接触不良が発生する、という危険性もあり、更に、コンタクトが３種類必要なため、製造及びその管理が繁雑になる、という問題点がある。
【００１１】
また、第２の例では、コンタクト１００ｗが１種類であり、第１の例のように、コンタクトの製造、管理上の繁雑さはないが、やはり、絶縁コーティング１４０ｗを介して互いに密着しているため、第１の例程ではないが、相互の動きが制約されて接触不良が発生する危険性や、絶縁コーティング１４０ｗの摩耗による相互短絡の危険性もあり、更に、接点１１１ｗの前方には、これを保護するための手段が何も施されていないため、第１の例と同様に、異物により接点相互間が短絡する危険性がある、という問題点がある。
【００１２】
本発明の目的は、これら従来技術の問題点に鑑みて、接点部分に異物が侵入し難く、かつ異物が接触し難い構造としてその相互短絡が発生するのを防止し、コンタクトの積層構造であっても、その接点部分の動きが各コンタクトそれぞれで独立して動き、絶縁コーティングの摩耗を無くして相互短絡の発生を防ぐと共に接触不良が発生するのを防ぐことができ、しかも製造及びその管理が容易なコネクタを提供することにある。
【００１３】
【課題を解決するための手段】
本発明のコネクタは、１種類のコンタクトを複数枚、その裏表を交互に入れ換えて配列、積層し、ハウジングに保持固定した構造のコネクタであって、
前記コンタクトは、
中央部分に、積層配列位置決め用の、上方に開口する凹部が形成され、
前記凹部の一方の端につながり、上方に開口する略Ｕ字状を成すばね部と、このばね部の略Ｕ字状の開口端部分に、内側に突出する接点と、前記ばね部の略Ｕ字状の下方部分に設けられた接続端子部と、を含む接触接続部が形成され、
前記凹部の他方の端につながり、隣接するコンタクトの、前記ばね部と平行して略Ｕ字状を成し、かつこの略Ｕ字状の開口端の高さを前記ばね部より高めとして、前記ばね部及び接点を保護する一方、前記接点への接続相手方をガイドする、ガイド・保護部が形成され、
前記接触接続部以外の全表面には絶縁コーティングが施された、構造であり、
前記ハウジングは、
その位置決めインシュレータが、裏表が交互に入れ換えられて積層される複数枚の前記コンタクトの凹部に挿入されて、これら複数枚のコンタクトを位置決めし、
これら複数枚のコンタクトを保持固定する構造である、ことを特徴とする。
【００１４】
また、前記コネクタに加えて、積層される複数枚のコンタクトの間を、その凹部形成部分、接触接続部の下部、及びガイド・保護部の下部、の側面で接着する、接着用部材を設けた、構成を有している。
【００１５】
そして、前記接着用部材が、中央部分に、前記コンタクトの凹部と同一形状の凹部が形成され、この凹部の両端から、前記コンタクトの接触接続部及びガイド・保護部の下部へと延びる形状の、両面接着テープ状の接着用シートである、構成を有している。
【００１６】
更に、前記コネクタが、レセプタクルコネクタを成し、このレセプタクルコネクタと嵌合するプラグコネクタとで一対のコネクタを構成し、
前記プラグコネクタが、
プラグインシュレータと、
このプラグインシュレータの表面に、銅箔を貼付けてその表面を鍍金した、複数のプラグコンタクトと、
を含んで成り、嵌合時に、これら複数のプラグコンタクトが、前記レセプタクルコネクタの複数枚のコンタクトの接点と、対応、加圧接触接続する構造である、構成を有している。
【００１７】
【発明の実施の形態】
本発明の第１の実施の形態は、１種類のコンタクトを複数枚、その裏表を交互に入れ換えて配列、積層し、ハウジングに保持固定した構造のコネクタであって、
上記コンタクトは、
中央部分に、積層配列位置決め用の、上方に開口する凹部が形成され、
上記凹部の一方の端につながり、上方に開口する略Ｕ字状を成すばね部と、このばね部の略Ｕ字状の開口端部分に、内側に突出する接点と、上記ばね部の略Ｕ字状の下方部分に設けられた接続端子部と、を含む接触接続部が形成され、上記凹部の他方の端につながり、隣接するコンタクトの、上記ばね部と平行して略Ｕ字状を成し、かつこの略Ｕ字状の開口端の高さを上記ばね部より高めとして、上記ばね部及び接点を保護する一方、上記接点への接続相手方をガイドする、ガイド・保護部が形成され、
上記接触接続部以外の全表面には絶縁コーティングが施された、構造であり、
上記ハウジングは、
その位置決めインシュレータが、裏表が交互に入れ換えられて積層される複数枚の上記コンタクトの凹部に挿入されて、これら複数枚のコンタクトを位置決めし、
これら複数枚のコンタクトを保持固定する構造である、構成を有している。
【００１８】
このような構成、構造とすることにより、接点は略Ｕ字状の先端内側に形成されてその開口部分は狭く、かつ、その略Ｕ字状の先端より高めに、積層されて隣接するコンタクトのガイド・保護部が設けられているので、この略Ｕ字状の部分に異物が入り込むのを防止し、かつばね部及び接点に異物が接触するのを防止することができて、コンタクト間が相互短絡するのを防止することができる。
【００１９】
また、隣接するコンタクト間は、これらコンタクトの接触接続部には絶縁コーティングが施されていないので、これら接触接続部間に絶縁コーティングの厚さだけ隙間が明いてそれぞれ独立して動くことができ、絶縁コーティングを磨耗させることがなく、従って従来のような、絶縁コーティングの摩耗による相互短絡を防ぐことができ、また、隣接するコンタクトによる動きの制約がなくなるので、接触不良が発生するのを防止することができる。
【００２０】
更に、コンタクトは１種類であるので、製造及びその管理も容易となる。なお、積層されるコンタクトの間を、その凹部形成部分、接触接続部の下部、及びガイド・保護部の下部、の側面で接着する、接着用部材を設けることにより、隣接コンタクトの、接触接続部の接点付近に対するスペースを確実に確保することができて、相互干渉をより一層確実に防止することができる。
【００２１】
本発明の第２の実施の形態は、上記コネクタが、レセプタクルコネクタを成し、このレセプタクルコネクタと嵌合するプラグコネクタとで一対のコネクタを構成し、
上記プラグコネクタが、
プラグインシュレータと、
このプラグインシュレータの表面に、銅箔を貼付けてその表面を鍍金した、複数のプラグコンタクトと、
を含んで成り、嵌合時に、これら複数のプラグコンタクトが、上記レセプタクルコネクタの複数枚のコンタクトの接点と、対応、加圧接触接続する構造である、構成、構造となっている。
【００２２】
このような構成、構造とすることにより、前述のコネクタの作用効果を生かしつつ、レセプタクルコネクタ及びプラグコネクタを１組とするコネクタを、容易に製造することができる。
【００２３】
【実施例】
次に本発明の実施例について図面を参照して説明する。
図１は本発明の第１の実施例を示す、部分断面斜視図、及びそのコンタクトの斜視図であり、図２（ａ）〜（ｃ）はその組立手順を示す斜視図である。
この実施例のコネクタ４００は、１種類のコンタクト１００を複数枚、その裏表を交互に入れ換えて配列、積層し、ハウジング３００に保持固定した構造を有し、各部の詳細は次のとおりである。
【００２４】
まず、コンタクト１００は、中央部分に、積層配列位置決め用の、上方に開口する位置決め凹部１３０が形成され、この位置決め凹部１３０の一方の端につながり、上方に開口する略Ｕ字状を成すばね部１１３と、このばね部１１３の略Ｕ字状の開口端部分に、内側に突出する接点１１１ａ，１１１ｂと、ばね部１１３の下辺部分に設けられた接続端子部１１２と、を含む接触接続部１１０が形成され、位置決め凹部１３０の他方の端につながり、隣接するコンタクト（１００）の、ばね部１１３と平行して略Ｕ字状を成し、この略Ｕ字状の開口端の高さをばね部１１３より高めにして、このばね部１１３及び接点１１１ａ，１１１ｂを保護する一方、接点１１１ａ，１１１ｂへの接続相手方をガイドする、ガイド・保護部１２０が形成され、前述の接触接続部１１０以外の全表面には、絶縁コーティング１４０が施された、形状、構造となっている。
【００２５】
そして、このコンタクト１００は複数枚、その位置決め凹部１３０を互いに一致させつつ、その裏表を交互に入れ換えて配列、積層され、これら複数枚のコンタクト１００の、隣接するコンタクト１００間には、中央部分に、これらコンタクト１００の位置決め凹部と同一形状の凹部が形成され、この凹部の両端から、コンタクト１００の接触接続部１１０及びガイド・保護部１２０の下部へと延びる形状の、両面接着テープ状の接着用シート２００が配置されて、隣接するコンタクト１００間が接着固定される。この際に、ハウジング３００の、位置決めインシュレータ３２０を、各コンタクト１００の位置決め凹部１３０及び接着用シート２００の凹部にはめ込むようにして積層、接着すると、複数枚のコンタクト１００が正確に位置決めされて、接着固定される。
【００２６】
ただし、図２では、全体の構造を分かりやすくするように、位置決めインシュレータ３２０が、積層接着後に凹部に挿入されるような図となっている。
【００２７】
積層接着された複数枚のコンタクト１００の両側面は、前述の接着用シート２００により、ハウジング３００のインシュレータ側板３１０ａ，３１０ｂが接着固定され、また、位置決めインシュレータ３２０も、複数枚のコンタクト１００の位置決め凹部１３０に挿入されて、このコネクタは完成する。
【００２８】
この実施例では、接点１１１ａ，１１１ｂが略Ｕ字状を成すばね部１１３の先端部分に、内側を向いて突出、形成されており、略Ｕ字状の開口部分は狭く、また、このばね部１１３と平行して、隣接するコンタクト１００のガイド・保護部１２０が配置されており、しかも、このガイド・保護部１２０は、その高さがばね部１１３より高めに形成されているので、この略Ｕ字状の部分に異物が入り込むのを防ぐと同時に、ばね部１１３及び接点１１１ａ，１１１ｂに異物が接触するのを防止して、コンタクト１００相互間が短絡するのを防ぐことができる。
【００２９】
また、これらコンタクト１００は、その接触接続部１１０には絶縁コーティング１４０が施されておらず、接着用シート２００を間に配設しなくても、隣接するコンタクト間には絶縁コーティング１４０の厚さだけのスペースが明き、ばね部１１２及び接点１１１ａ，１１１ｂを、隣接するコンタクト１００に制約されることなく、独立して動かすことができるが、この実施例では、隣接するコンタクト間に接着用シート２００を配設していて、この接着用シート２００は、略Ｕ字状のばね部１１３に対しその下部のみを接着するようになっているので、接点１１１ａ，１１１ｂの動きを制約することはなく、また、隣接するコンタクト１００との間には、この接着用シート２００の厚さ分のスペースが確実に確保されるので、接点１１１ａ，１１１ｂの動きは互いに独立して周辺部分に制約されることはなく、相手方の接触不良を確実に無くすことができる。
【００３０】
また、接点１１１ａ，１１１ｂ及びばね部１１３が動いたとしても、隣接するコンタクト１００との間には前述のスペースが明いているので、隣接するコンタクト間が摩擦し合うこともなく、絶縁コーティング１４０が摩耗することもないので、隣接するコンタクト間が短絡する、という不具合も発生しない。
更に、積層されるコンタクト１００は１種類であるので、このコネクタの製造及びその管理を容易にすることができる。
【００３１】
図３（ａ）〜（ｃ）は、前述の第１の実施例のコネクタ４００をレセプタクルコネクタとし、このレセプタクルコネクタと嵌合するプラグコネクタとで１対のコネクタを成す第２の実施例を示す、嵌合前後の斜視図、及び嵌合、接続状態を示す部分断面側面図である。
【００３２】
この第２の実施例のレセプタクルコネクタは、第１の実施例におけるコネクタ４００と全く同一であり、これと嵌合するプラグコネクタ５００は、プラグインシュレータ５１０の表面に、複数本のプラグコンタクト５２０ａ，５２０ｂが形成された構造となっている。
【００３３】
このプラグコネクタ５００は、図４（ａ），（ｂ）に示すように、プラグインシュレータ５１０の嵌合側先端部分に段差５１１ａ，５１１ｂが設けられ、このプラグインシュレータ５１０の表面の、レセプタクルコネクタ（４００）の接点１１１ａ，１１１ｂと対応する部位に、銅箔を貼付けてその表面を鍍金した、複数のプラグコンタクト５２０ａ，５２０ｂが形成されている。
【００３４】
レセプタクルコネクタ（４００）のコンタクト１００の、ガイド・保護部１２０は、プラグコネクタ５００のレセプタクルコネクタ（４００）への嵌合挿入時に、そのプラグコンタクト５２０ａ，５２０ｂをガイドする。また、プラグインシュレータ５１０の嵌合先端部分に形成された段差５１１ａ，５１１ｂは、レセプタクルコネクタ（４００）との嵌合時に、このレセプタクルコネクタ（４００）から脱落するのを防止する。
【００３５】
この第２の実施例においては、レセプタクルコネクタ（４００）が第１の実施例と同一であるので、第１の実施例と同様の作用効果を有し、また、プラグコネクタ５００は、プラグインシュレータ５１０の表面に、銅箔を貼付けてその表面に鍍金して複数のプラグコンタクト５２０ａ，５２０ｂを形成する、という極めて単純な構造、及び作業により形成することができる。
【００３６】
【発明の効果】
以上説明したように本発明は、１種類のコンタクトを複数枚、その裏表を交互に入れ換えて配列、積層し、これをハウジングに保持固定した構造のコネクタであって、そのコンタクトが、中央部に、積層配列位置決め用の、上方に開口する凹部を備え、この凹部の一方の端につながり、上方に開口する略Ｕ字状のばね部の、開口先端に、内側に突出する接点を設け、かつこのばね部の下辺部分に接続端子部を設けた接触接続部を備え、中央凹部の他方の端につながり、隣接するコンタクトのばね部と平行して略Ｕ字状を成し、その開口端の高さを前述のばね部より高めとして、このばね部、及び接点を保護する一方、接点への接続相手方をガイドする、ガイド・保護部を備え、互いに凹部を一致させて積層する、構成構造とすることにより、接点部分への異物の侵入を防止し、かつこの接点部分に異物が接触するのを防止することができて、コンタクト相互間が短絡するのを防止することができ、複数のコンタクトの接点部分が、隣接するコンタクトに制約されることなく独立して動くことができるので、接触不良が発生することはなく、かつ互いに摩擦し合うこともなく絶縁コーティングが摩耗することもないので、コンタクト相互間で短絡する、という不具合をなくすことができ、しかも、コンタクトが１種類であるので、このコネクタの製造及び管理が容易になる、という効果がある。
【図面の簡単な説明】
【図１】本発明の第１の実施例を示す部分断面斜視図、及びそのコンタクトの斜視図である。
【図２】図１に示された実施例の組立手順を示す斜視図である。
【図３】図１、図２に示された実施例のコネクタをレセプタクルコネクタとし、このレセプタクルコネクタと嵌合するプラグコネクタとで１対のコネクタを構造したときの第２の実施例における、嵌合前後、及び嵌合接続状態を示す斜視図である。
【図４】図３に示された第２の実施例における、プラグコネクタの形成手順を示す斜視図である。
【図５】従来のコネクタの第１の例を示す、上方から見た平面図、部分断面側面図、及び下方から見た平面図である。
【図６】従来のコネクタの第２の例の、コンタクトの斜視図及び組立状態の部分断面側面図である。
【符号の説明】
１００，１００ｗ〜１００ｚ  コンタクト
１１０  接触接続部
１１１ａ，１１１ｂ，１１１ｗ〜１１１ｚ  接点
１１２，１１２ｗ〜１１２ｚ  接続端子部
１１３，１１３ｗ  ばね部
１２０  ガイド・保護部
１３０  位置決め凹部
１４０，１４０ｗ〜１４０ｚ  絶縁コーティング
２００  接着用シート
３００，３００ｘ  ハウジング
３１０ａ，３１０ｂ  インシュレータ側板
３２０  位置決めインシュレータ
３５０ｗ  インシュレータ
４００  コネクタ
５００  プラグコネクタ
５１０  プラグインシュレータ
５１１ａ，５１１ｂ  段差
５２０ａ，５２０ｂ  プラグコンタクト
７００  プリント配線板
７１０  基板
７２０ｘ〜７２０ｚ  プリント配線
７２１ｘ〜７２１ｚ  配線
７２２ｘ〜７２２ｚ  パッド状電極
【図１】
2004296197.tif 000003
【図２】
2004296197.tif 000004
【図３】
2004296197.tif 000005
【図４】
2004296197.tif 000006
【図５】
2004296197.tif 000007
【図６】
2004296197.tif 000008